(57)【要約】 【課題】  燃料供給装置により補給した燃料の料金を、プリペイド情報が予め記憶された記憶媒体を使用して精算する燃料供給システムにあって、リチャージ可能な記憶媒体の繰り返し利用回数を増やし、資源の有効活用をはかる。【解決手段】  計量機５０により給油した給油金額を、プリペイドカード４０に記憶されている給油可能金額Ｍｄから差し引いて精算するセルフサービス給油システム１であって、プリペイドカード４０の発券時、払込金額Ｍinからカード代金に対応した所定金額Ｍｃを差し引いた金額を給油可能金額（Ｍｄ＝Ｍin−Ｍｃ）として設定し、当該プリペイドカード４０の利用状況、例えば当該プリペイドカード４０を使用しての全給油金額Ｍal、給油作業回数Ｃｄ、リチャージ回数Ｃｒ等といったプリペイドカード４０の利用に応じて変化する値が予め定められた所定条件を満たすようになった場合には、発券時に差し引かれた所定金額Ｍｃをプリペイドカード４０から読み取った給油可能金額Ｍｄに加算する。【選択図】  図１
2005231737.tif 000002
【特許請求の範囲】
【請求項１】
燃料供給装置により補給した燃料の料金を、プリペイド情報が予め記憶された記憶媒体を使用して精算する燃料供給システムであって、
記憶媒体の発行時、払込金額から所定金額を差し引いた金額を燃料供給可能金額として設定し、当該記憶媒体の利用状況が予め定められた所定状況になった場合には、前記所定金額を記憶媒体から読み取った燃料供給可能金額に加算する
ことを特徴とする燃料供給システム。
【請求項２】
燃料供給装置により補給した燃料の料金を、プリペイド情報が予め記憶された記憶媒体を使用して精算する燃料供給システムであって、
記憶媒体の発行時、払込金額から所定金額を差し引いた金額を燃料供給可能金額として設定し、当該記憶媒体の利用状況が予め定められた所定状況になった場合には、前記所定金額を記憶媒体から読み取った燃料供給可能金額に加算し、
当該所定金額が加算された燃料供給可能金額を記憶媒体に更新記憶する
ことを特徴とする燃料供給システム。
【請求項３】
燃料供給装置により補給した燃料の料金を、プリペイド情報が予め記憶された記憶媒体を使用して精算する燃料供給システムであって、
記憶媒体の発行時、払込金額が所定払込金額よりも多いか否かを判別し、所定払込金額よりも少ない場合は、払込金額から所定金額を差し引いた金額を燃料供給可能金額として設定し、
当該所定金額を差し引かれた記憶媒体の利用状況が予め定められた所定状況になった場合には、前記所定金額を記憶媒体から読み取った燃料供給可能金額に加算する
ことを特徴とする燃料供給システム。
【請求項４】
前記記憶媒体の利用状況が予め定められた所定状況になったことは、当該記憶媒体を使用しての全給油金額、積算給油量、給油作業回数、リチャージ回数、リチャージ額、リチャージ総計額、追加金額の中の少なくとも一によって判定される
ことを特徴とする請求項１〜３いずれかに記載の燃料供給システム。
【発明の詳細な説明】
【技術分野】
【０００１】
本発明は、燃料供給装置により補給した燃料の料金を、プリペイドカード等のプリペイド情報が予め記憶された記憶媒体を使用して精算する燃料供給システムに関する。
【背景技術】
【０００２】
従来の燃料供給システムの一例として、プリペイド情報が予め記憶された記憶媒体の一種であるプリペイドカードを利用して顧客自ら計量機を操作して行った給油作業の給油料金を精算するプリペイドカード方式のセルフサービス給油システムを例に挙げて以下に説明する。
【０００３】
このプリペイドカード方式のセルフサービス給油システムでは、顧客は、給油に際し、予めプリペイドカード発券機により、払込金額に応じた給油可能金額が記憶されているプリペイドカードの新規発券を受けるようになっている。その上で、給油作業を行う際には、顧客は、所持するプリペイドカードをプリペイドカード精算機に装填することにより、給油作業の設定を行い得、そのプリペイドカードに記憶されている給油可能金額の範囲内で、計量機を用いて実際の給油作業を行い得るようになっている。その際における給油金額は、プリペイドカードに記憶されている給油可能金額から給油量に応じて差し引かれるようになっている。給油作業終了時には、プリペイドカード精算機によって、この給油可能金額から給油金額を差し引いた残金が、新たな給油可能金額として装填されているプリペイドカードに書き込まれる。そして、顧客には、この給油可能金額が減額更新されたプリペイドカードが、プリペイドカード精算機から返却される。
【０００４】
また、顧客は、給油作業を行う際に、所持するプリペイドカードに記憶されている給油可能金額が不足する場合には、プリペイドカードに記憶されている給油可能金額のリチャージを、プリペイドカード発券機又はプリペイドカード精算機によって行えるようになっている。ここで、プリペイドカードのリチャージとは、上述した減算更新によって給油可能金額(すなわち、残高)が無くなったり、少なくなったりした発行済のプリペイドカードに、顧客の払込金額に応じた額を加算してその給油可能金額を加金更新することを指すもので、発券済みのプリペイドカードの繰り返し利用回数を増やすことができるものである。
【０００５】
【特許文献１】特開２００３−２６２９８号公報
【発明の開示】
【発明が解決しようとする課題】
【０００６】
しかし、上述した従来のプリペイド情報が予め記憶された記憶媒体を使用した燃料供給システムでは、記憶媒体は、燃料供給作業の都度、燃料供給金額（上述した給油金額が対応）が差し引かれ、その記憶されている燃料供給可能金額（上述した給油可能金額が対応）が一旦無くなってしまえば、リチャージを行わない限りは利用できない。そのため、記憶媒体の燃料供給可能金額がリチャージ可能であることを顧客が認識していない場合は、その新規発行時に記憶された燃料供給可能金額の額面を使い切ってしまった時点で、顧客により記憶媒体は廃棄されてしまう。
【０００７】
また、記憶媒体の新規発行時に記憶される燃料供給可能金額も、記憶媒体を使用した燃料供給システムでは、顧客が発券時に通常払い込む金額（例えば、１０,０００円程度）では、顧客は１〜２回の燃料供給作業の代金支払で、新規発行時に記憶された額面（燃料供給可能金額）を使い切ってしまうことも可能である。そのため、記憶媒体の燃料供給可能金額がリチャージ可能であることを顧客が認識していても、例えば１〜２回の燃料供給作業の代金支払で、燃料供給可能金額が無くなったり僅かな端金になってしまったりした発行済みの記憶媒体を、顧客が次回給油作業の際に忘れずに持参してリチャージすることを期待するのも難しい。
【０００８】
この結果、上述した従来のプリペイド情報が予め記憶された記憶媒体を使用した燃料供給システムでは、リチャージ可能な記憶媒体の繰り返し利用回数を増やすことができず、資源の有効活用がはかれないという問題があった。また、燃料供給業者にとっても、リチャージ可能で繰り返し利用できる記憶媒体がその利用可能回数（例えば、３０回）に対して十分余裕がある利用回数（２〜３回）で廃棄されてしまうことになり、記憶媒体の新規発行に要する費用負担がかさむという問題があった。
【０００９】
そこで、記憶媒体を新規発行するにあたり、予め、発券金額（例えば、５,０００円）に対して記憶媒体自体の費用（例えば、１００円）を差し引いた額（例えば、４９００円）を燃料供給可能金額として記憶しておき、利用回数にかかわらず、顧客が記憶媒体を返却した際に、この記憶媒体自体の費用を返却する方式も考えられる。
【００１０】
しかしながら、この方式にあっても、顧客は、燃料供給業者に記憶媒体をいちいち返却しなければ、記憶媒体自体の費用の返却を受けることができず、また、燃料供給業者もこの記憶媒体自体の費用の返金業務のために新たな労力を必要とする。
【００１１】
本発明は、上述した問題点を解決するためになされたものであって、燃料供給装置により補給した燃料の料金を、プリペイド情報が予め記憶された記憶媒体を使用して精算する燃料供給システムにあって、リチャージ可能な記憶媒体の繰り返し利用回数を増やし、資源の有効活用をはかるようにするとともに、顧客が記憶媒体自体の費用の返却を受け忘れるのを防止し、記憶媒体自体の費用の返却に要する燃料供給業者側の返金業務の省力化及び容易化をはかった燃料供給システムを提供することを目的とする。
【課題を解決するための手段】
【００１２】
本発明の燃料供給システムは、燃料供給装置により補給した燃料の料金を、プリペイド情報が予め記憶された記憶媒体を使用して精算する燃料供給システムであって、記憶媒体の発行時、払込金額から所定金額を差し引いた金額を燃料供給可能金額として設定し、当該記憶媒体の利用状況が予め定められた所定状況になった場合には、前記所定金額を記憶媒体から読み取った燃料供給可能金額に加算することを特徴とする。
【００１３】
また、本発明の燃料供給システムは、燃料供給装置により補給した燃料の料金を、プリペイド情報が予め記憶された記憶媒体を使用して精算する燃料供給システムであって、記憶媒体の発行時、払込金額から所定金額を差し引いた金額を燃料供給可能金額として設定し、当該記憶媒体の利用状況が予め定められた所定状況になった場合には、前記所定金額を記憶媒体から読み取った燃料供給可能金額に加算し、当該所定金額が加算された燃料供給可能金額を記憶媒体に更新記憶することを特徴とする。
【００１４】
また、本発明の燃料供給システムは、燃料供給装置により補給した燃料の料金を、プリペイド情報が予め記憶された記憶媒体を使用して精算する燃料供給システムであって、記憶媒体の発行時、払込金額が所定払込金額よりも多いか否かを判別し、所定払込金額よりも少ない場合は、払込金額から所定金額を差し引いた金額を燃料供給可能金額として設定し、当該所定金額を差し引かれた記憶媒体の利用状況が予め定められた所定状況になった場合には、前記所定金額を記憶媒体から読み取った燃料供給可能金額に加算することを特徴とする。
【発明の効果】
【００１５】
本発明の燃料供給システムによれば、燃料供給装置により補給した燃料の料金を、プリペイド情報が予め記憶された記憶媒体を使用して精算する燃料供給システムにあって、リチャージ可能な記憶媒体の繰り返し利用回数を増やし、資源の有効活用をはかるようにするとともに、顧客が記憶媒体自体の費用の返却を受け忘れるのを防止し、記憶媒体自体の費用の返却に要する燃料供給業者側の返金業務の省力化及び容易化をはかることができる。
【発明を実施するための最良の形態】
【００１６】
以下、本発明の燃料供給システムについて、前述したプリペイドカード方式のセルフサービス給油システムに適用した場合を例に、その実施の形態を図面とともに説明する。
【００１７】
図１は、本発明の燃料供給システムの一実施の形態としてのセルフサービス給油システムの構成図である。
【００１８】
本実施の形態によるセルフサービス給油システム（燃料供給システムに対応）１は、給油所内の給油エリア２に設けられたセルフサービス給油方式の計量機５０（５０-1〜５０-n）と、この計量機５０に対応させて設けられた設定器１０（１０-1〜１０-n）と、給油所内の事務所３に設置された管理コンピュータ６０とを備えて構成されている。
【００１９】
そして、計量機５０，設定器１０，管理コンピュータ６０は、通信回線（ＳＳ−ＬＡＮ）７０を介して、相互伝送可能にデータ接続されている。
【００２０】
各計量機５０は、例えばガソリン等の燃料の供給手段（ポンプ）、計測手段（流量計）を計量機本体５１内に備え、供給手段から供給される燃料は、ホース５２先端に接続されたノズル５３から車両等の燃料タンクに補給され、その際の補給量（給油量）は、計測手段によって演算されて、表示装置５４に表示される構成になっている。図示した計量機５０の場合は、計量機本体５１にハイオク，レギュラー，軽油それぞれのノズル５３-1，５３-2，５３-3が備えられ、一の給油エリアでこれらいずれかの油種が給油可能になっている。
【００２１】
管理コンピュータ６０は、制御処理手段としてのコンピュータ本体６１と、操作入力手段としてのキーボード６２と、出力手段としてのプリンタ６３及びモニタ６４とを有し、コンピュータ本体６１には、各種情報を記憶する記憶装置６５が設けられている。
【００２２】
そして、管理コンピュータ６０は、本実施の形態では、この記憶装置６５を使用して、プリペイドカードデータベースを構成する。プリペイドカードデータベースとしての管理コンピュータ６０は、発行されたプリペイドカード４０毎に、そのカード識別情報Ｄid、発券年月日，発券装置の識別，発券額（すなわち、発券時における顧客による払込金額）等といった発券情報Ｄpi、リチャージ日時，リチャージした発券装置の識別，リチャージ額（すなわち、カードリチャージ時における顧客による払込金額）等といったリチャージ情報Ｄri、給油可能金額（燃料供給可能金額），給油作業利用回数，全給油金額（当該カード４０の利用による給油金額の総計），リチャージ回数等といったカード利用情報Ｄpi、等といったカード情報を記憶管理する。
【００２３】
次に、設定器１０の構成について、図２及び図３により説明する。
図２は、図１に示した設定器の概略構成を示すブロック図である。
図３は、図１に示した設定器の操作部の外観図である。
【００２４】
設定器１０は、図２に示すように、プリペイドカード４０に記憶された情報の読み取り／書き込みを行うカードリーダ／ライタ部１１と、プリペイドカード４０の発券等の際に顧客によって払い込まれた貨幣（本実施例では紙幣のみ）を収納し、払込金額（入金額）を算出する払込紙幣収納部１２と、各種操作スイッチからなる入力部１３と、払込金額や給油可能金額等を表示する表示部１４と、未使用すなわちデータ未記憶のプリペイドカード４０’をストックし、新規発券時にはその中の１枚のプリペイドカード４０’をカードリーダ／ライタ部１１に供給する新規発券用カードストック部１５と、給油作業のレシートを発行するレシート発行部１６と、計量機５０及び管理コンピュータ６０との間で通信回線７０によるデータ送受信を行うための通信インタフェース部１７と、これら各部を制御する制御部１８とを備えた構成になっている。
【００２５】
本実施の形態のセルフサービス給油システム１では、設定器１０は、セルフサービス給油作業の作業設定器として機能するとともに、セルフサービス給油作業で利用されるプリペイドカード４０の精算機及び発券機としても機能する。
【００２６】
そのために、設定器１０は、図３に示すように、その操作部１９に、カードリーダ／ライタ部１１の挿入／排出口１１ａ、払込紙幣収納部１２の紙幣挿入口１２ａ、表示部１４の表示器１４ａ、レシート発行部１６のレシート排出口１６ａ、及び入力部１３としての油種選択スイッチ１３ａ（１３a-1〜１３a-3），確認スイッチ１３ｂ（１３b-1，１３b-2），発券スイッチ１３ｃ，レシート発行スイッチ１３ｄが設けられている。
【００２７】
カードリーダ／ライタ部１１の挿入／排出口１１ａには、給油作業の給油料金をプリペイドカード４０で清算する場合や、発行済みのプリペイドカード４０に記憶されている給油可能金額のリチャージを行う場合に、顧客の所持するプリペイドカード４０が挿入され、カードリーダ／ライタ部１１に装填される。そして、給油料金精算後や、給油可能金額のリチャージ終了後に、カードリーダ／ライタ部１１によって給油可能金額が更新記憶されたプリペイドカード４０が排出される。また、プリペイドカード４０の新規発券時には、払込金額に対応した給油可能金額が記憶されたプリペイドカード４０が排出され、発券される。
【００２８】
カードリーダ／ライタ部１１は、装填されたプリペイドカード４０に記憶されている給油可能金額等のデータを読み取って制御部１８に供給する一方、制御部１８から供給される更新された給油可能金額等のデータをプリペイドカード４０に書き込み記憶する。さらに、本実施の形態では、カードリーダ／ライタ部１１は、プリペイドカード４０に予め設けられている印字領域に、給油可能金額等の情報を印字する機能も併せ持つ。
【００２９】
払込紙幣収納部１２の紙幣挿入部１２ａには、給油作業の給油料金を現金で精算する現金給油の場合、発行済みのプリペイドカード４０に記憶されている給油可能金額のリチャージを行う場合、プリペイドカード４０の新規発券を行う場合等に、顧客により払込金額分の紙幣が挿入される。払込紙幣収納部１２は、挿入された紙幣を鑑定し、紙幣の入金額を検出して制御部１８に供給する。
【００３０】
入力部１３の油種選択スイッチ１３ａ（１３a-1〜１３a-3）は、給油作業の際、プリペイドカード４０の装填、又は現金給油のための現金払込が終わって、ノズル５３の操作による実際の給油作業を開始する前に、顧客が給油する油種を予め指定するためのものである。また、確認スイッチ１３ｂ（１３b-1，１３b-2）は、ノズル５３の操作による実際の給油作業を開始する前に、油種選択スイッチ１３ａで指定した油種、プリペイドカード４０に記憶されている給油可能金額、払込紙幣収納部１２に払い込んだ払込金額等を確認して、ノズル５３の操作による実際の給油作業への移行、又は移行中止を顧客が指示するためのものである。また、発券スイッチ１３ｃは、払込金額に対応して新規発券されるプリペイドカード４０、又はリチャージされたプリペイドカード４０について、顧客がカードリーダ／ライタ部１１の挿入／排出口１１ａからその排出を受けるためのものである。また、レシート発行スイッチ１３ｄは、今回行った給油作業の給油金額、プリペイドカード ４０のリチャージ又は新規発券に関して、その際のレシート（領収書）の発行を指示するためのものである。これら入力部１３の各スイッチ１３ａ〜１３ｄのそれぞれ操作信号は、制御部１８に供給され、制御部１８はこれら操作信号の入力に基づいて他の各部を制御する。
【００３１】
さらに、設定器１０の操作部１９には、上述したカードリーダ／ライタ部１１の挿入／排出口１１ａ，払込紙幣収納部１２の紙幣挿入部１２ａ，入力部１３の各スイッチ１３ａ〜１３ｄに対応させて、給油作業時における操作案内Ｄ１〜Ｄ４が表示されている。顧客は、この操作案内Ｄ１〜Ｄ４にしたがって、プリペイドカード４０の購入（すなわち、新規発券）、所持するプリペイドカード４０のリチャージ、プリペイドカード４０を利用した給油作業、等を行えるようになっている。
【００３２】
次に、これら顧客が行う作業に分けて、本実施の形態のセルフサービス給油システム１における設定器１０の、計量機５０及び管理コンピュータ６０に対する制御の一実施例について、図４乃至図９に示したフローチャートを参考に説明する。
【００３３】
＜プリペイドカードの購入＞
まず、図３の操作部１９に示された操作案内Ｄ１にしたがって、顧客がプリペイドカード４０を購入する場合の設定器１０による制御構成について、図４及び図５に基づいて説明する。
【００３４】
図４は、図１に示した設定器による制御構成の一実施例の概要を示したフローチャートである。
図５は、プリペイドカード新規発券処理の一実施例を示したフローチャートである。
【００３５】
プリペイドカード４０を購入する場合、顧客は、図３の操作案内Ｄ１の案内Ｄ11により、払込紙幣収納部１２の紙幣挿入部１２ａに、所望のプリペイドカード４０の額面に対応する額の紙幣を挿入する。これにより、払込紙幣収納部１２からは、紙幣挿入検知信号が制御部１８に供給される。
【００３６】
このとき、制御部１８は、図４に示すように、払込紙幣収納部１２からの紙幣挿入検知信号又はカードリーダ／ライタ部１１からの後述するカード挿入検知信号の入力待ち状態（待機状態）になっている（図４、ステップＳ100，Ｓ200）。そして、制御部１８は、上述した払込紙幣収納部１２からの紙幣挿入検知信号の供給を検出すると、制御部１８内に設けられた払込金額カウンタを零リセットし、払込紙幣収納部１２からの入金額データを受付可能な状態になる。
【００３７】
その上で、制御部１８は、挿入紙幣の鑑定が行われて当該紙幣の金額が検出される毎に払込紙幣収納部１２から供給される入金額データを読み込み、これを払込金額カウンタに積算して顧客による払込金額（入金額）Ｍinを演算する。また、制御部１８は、この演算した払込金額データを表示部１４に供給し、表示部１４の表示器１４ａに払込金額Ｍinを表示させる（ステップＳ201）。
【００３８】
この表示部１４の表示器１４ａの表示によって、顧客は現在の払込金額Ｍinを確認し、所望の払込金額分の紙幣を挿入したならば、図３の操作案内Ｄ１の案内Ｄ12により、入力部１３の発券スイッチ１３ｃを操作する。
【００３９】
このとき、制御部１８は、前述した顧客による払込金額Ｍinの演算を行うとともに、入力部１３から油種選択スイッチ１３ａ又は発券スイッチ１３ｃの操作信号が供給されたか否かの確認も行っている（ステップＳ202，Ｓ203）。そして、制御部１８は、この発券スイッチ１３ｃの操作信号が入力部１３から供給されたのを確認した場合は（ステップＳ202）、新規発券用カードストック部１５及びカードリーダ／ライタ部１１を制御して、データ未記憶のプリペイドカード４０’に対するデータ記憶処理、すなわちプリペイドカード新規発券処理を行う（ステップＳ210）。
【００４０】
ここで、図５によりプリペイドカード新規発券処理を説明するに当たり、プリペイドカード４０の実施例について、図１０により説明する。
【００４１】
図１０は、本実施の形態のセルフサービス給油システムで使用されるリチャージ可能なプリペイドカードの一実施例の構成図である。
【００４２】
本実施例のプリペイドカード４０は、その表面側に印字領域４１を有し、裏面側に磁気記録領域４２を有する構成になっている。印字領域４１は、例えば、加熱層によって形成され、カードリーダ／ライタ部１１に備えられた印字機能によりこの加熱層が部分的に印字加熱されることによって、対応する部分が透明状態又は非透明状態に変化し、給油可能金額等の情報が表示できる構成になっている。また、磁気記録領域４２は、磁性材が被覆されて構成され、カードリーダ／ライタ部１１によって、カード識別情報Ｄidやカード利用情報Ｄpi等から構成されるカード記憶情報が新規又は更新記憶される構成になっている。
【００４３】
図５において、制御部１８は、前述した図４のステップＳ202で発券スイッチ１３ｃの操作の確認がなされると、払込金額カウンタの値（払込金額Ｍin）と、予め制限値として設定記憶されている所定の入金額Ｍ０との大小を比較する（ステップＳ211）。なお、この所定の入金額Ｍ０は、例えば、プリペイドカード４０の減価償却等を考慮して、燃料供給業者によって適宜設定される値である。
【００４４】
制御部１８は、当該カード４０についての払込金額Ｍinが所定の入金額Ｍ０よりも大きい場合は、当該カード４０についての給油可能金額Ｍｄ（すなわち、カード残金に対応）を払込金額Ｍinに初期設定するとともに、カード代金Ｍｃが未返却であるか返却済みであるかを表わすカード代金返却判別データＦを“返却済み”に初期設定する（ステップＳ212）。
【００４５】
また、制御部１８は、当該カード４０による給油作業回数Ｃｄやリチャージ回数Ｃｒを０回に、また当該カード４０を利用した給油作業による全給油金額（積算給油金額）Ｍalを０円に初期設定する。さらに、制御部１８は、他のカードと識別をはかるためのカード識別情報Ｄidや、発券年月日，発券装置，発券額等といった発券情報Ｄpi等を定める。
【００４６】
その上で、制御部１８は、本実施例の場合、給油可能金額Ｍｄ，カード代金返却判別データＦ，給油作業回数Ｃｄ，リチャージ回数Ｃｒ，全給油金額Ｍalといったカード利用情報Ｄpiを、カード識別情報Ｄidや発券情報Ｄpiとともにカードリーダ／ライタ部１１に供給する。
【００４７】
カードリーダ／ライタ部１１は、新規発券用カードストック部１５から供給されたデータ未記憶のプリペイドカード４０’（４０）の磁気記録領域４２に、これらカード識別情報Ｄidやカード利用情報Ｄpiを所定のフォーマットで記憶する一方、プリペイドカード４０の印字領域４１の所定場所に、例えば、発券情報Ｄpi等に基づき、図１０に示したような発券当初の給油可能金額Ｍｄを表わしたカード名４１１、発券年月等を表わしたカード番号４１２、及び発券元情報４１３を印字する（ステップＳ213）。
【００４８】
図１０（Ａ）は、所定の入金額Ｍ０を例えば３０,０００円未満と設定し、顧客がプリ
ペイドカード４０の発券の際し、３０,０００円を払い込んだ場合の例を示す。
【００４９】
この場合、プリペイドカード４０の磁気記録領域４２には、給油可能金額Ｍｄとして３０,０００円が記憶され、印字領域４１には、カード名４１１として“￥３０,０００カード”が印字される。
【００５０】
一方、図５に示したステップＳ211に示した処理で、制御部１８は、当該カード４０についての払込金額Ｍinが所定の入金額Ｍ０よりも小さい場合は、当該カード４０についての給油可能金額Ｍｄとして払込金額Ｍinを初期設定する代わりに、払込金額Ｍinから予め定められたカード代金Ｍｃを差し引いた金額（Ｍｄ＝Ｍin−Ｍｃ）を初期設定する。また、制御部１８は、これに伴い、カード代金Ｍｃが未返却であるか返却済みであるかを表わすカード代金返却判別データＦを“未返却”に初期設定する（ステップＳ214）。
【００５１】
そして、制御部１８は、前述した場合と同様に、給油可能金額Ｍｄ，カード代金返却判別データＦ，給油作業回数Ｃｄ，リチャージ回数Ｃｒ，全給油金額Ｍalといったカード利用情報Ｄpiを、カード識別情報Ｄidとともに、カードリーダ／ライタ部１１によってプリペイドカード４０の磁気記録領域４２に記憶する（ステップＳ215）。
【００５２】
図１０（Ｂ）は、所定の入金額Ｍ０を例えば３０,０００円未満と設定し、顧客がプリペイドカード４０の発券の際し、１０,０００円を払い込んだ場合の例を示す。
【００５３】
例えば、カード代金Ｍｃが１００円に設定されている場合に、顧客がプリペイドカード４０の発券の際に１０,０００円を払い込んだ場合には、新規発券されるプリペイドカード４０の磁気記録領域４２には、制御部１８及びカードリーダ／ライタ部１１によって、この入金額Ｍin（１０,０００円）から予め定められたカード代金Ｍｃ（１００円）を差し引いた給油可能金額Ｍｄ（９,９００円）が、“未返却”のカード代金返却判別データＦとともに記憶される。また、印字領域４１には、カード名４１１として“￥９,９００”が印字され、カード代金Ｍｃ（１００円）が追って給油可能金額Ｍｄに返却加金される旨の案内４１４、例えば「カード代￥１００、一時お預かり中」が印字される。
【００５４】
なお、これらプリペイドカード４０の新規発券に関するカード識別情報Ｄid，発券情報Ｄpi，カード利用情報Ｄpiは、設定器１０の通信部インタフェース部１７から、通信回線７０を介して管理コンピュータ６０にも送信される。そして、管理コンピュータ６０では、これら情報を、カード識別データＤidのプリペイドカード４０の新規発券に関する情報として記憶装置６５のプリペイドカードデータベースに登録する。
【００５５】
その上で、これら情報が記憶されたプリペイドカード４０は、カードリーダ／ライタ部１１の挿入／排出口１１ａから排出される（ステップＳ216）。顧客は、図３に示した操作案内Ｄ１の案内Ｄ13に基づいて、挿入／排出口１１ａからこの排出されたカードを取得することにより、プリペイドカード４０の新規発券を受けることができる。
【００５６】
以上のように、本実施の形態によるプリペイドカード方式のセルフサービス給油システム１におけるプリペイドカード４０の購入処理（新規発券処理）によれば、その発券に当たって顧客の払込金額Ｍinが所定の入金額Ｍ０よりも小さい場合には、給油可能金額Ｍｄとして、払込金額Ｍinから予め定められたカード代金Ｍｃを差し引いた金額（Ｍｄ＝Ｍin−Ｍｃ）を初期設定され、カード代金Ｍｃが一時預かり状態になる。そのため、プリペイドカード４０の新規発券のための顧客の払込金額Ｍinがカード代金Ｍｃの減価償却等との関係で不足するような場合であっても、スタンド側（燃料供給業者側）はプリペイドカード４０を発行することができ、顧客もわざわざ高額なプリペイドカード４０を購入せずとも、必要額からプリペイドカード４０を購入所持することができるので、紛失及び盗難の際のリスクを低減することができる。
【００５７】
＜既に所持するプリペイドカードの給油可能金額のリチャージ＞
次に、図３の操作部１９に示された操作案内Ｄ１にしたがって、顧客がプリペイドカード４０の給油可能金額Ｍｄをリチャージする場合の設定器１０による制御構成について、図４及び図６に基づいて説明する。
【００５８】
顧客は、プリペイドカード４０をリチャージする場合、図３の操作案内Ｄ１の案内Ｄ14により、まず所持するプリペイドカード４０を設定器１０の挿入／排出口１１ａから挿入し、カードリーダ／ライタ部１１にプリペイドカード４０を装填する。そして、案内Ｄ15により、払込紙幣収納部１２の紙幣挿入部１２ａに、所望のリチャージ額に対応する額の紙幣を挿入する。
【００５９】
図４において、制御部１８は、カードリーダ／ライタ部１１からカード挿入検知信号を受けると（ステップＳ100）、カードリーダ／ライタ部１１が読み取ったプリペイドカード４０の磁気記録領域４２に記憶されているカード記憶情報としてのカード識別情報Ｄid，カード利用情報Ｄpiの供給を、カードリーダ／ライタ部１１に指示する。
【００６０】
制御部１８は、カードリーダ／ライタ部１１からこれらカード記憶情報が供給されると、本実施例では、このプリペイドカード４０から読み取ったカード記憶情報の確認を、供給されたカード識別情報Ｄidをインデックスにして、通信回線７０を介して管理コンピュータ６０との間で行う。
【００６１】
この確認は、制御部１８が、プリペイドカードデータベースとしての管理コンピュータ６０から当該カード識別情報Ｄidに対応するカード情報の提供を通信インタフェース部１７で受け、設定器１０側で例えばカード記憶情報の中の給油可能金額Ｍｄ，カード代金返却判別データＦに異常はあるか否かを照合する方式であってもよいし、プリペイドカード４０から読み取ったカード記憶情報を通信インタフェース部１７を用いて管理コンピュータ６０に送信し、管理コンピュータ６０側でプリペイドカードデータベースにおける当該カード識別情報Ｄidに対応するカード情報と照合し、その確認結果を管理コンピュータ６０から受信する方式であってもよい。
【００６２】
制御部１８は、このカード記憶情報の確認により、カード記憶情報のデータ改竄等が行われていない適法なカードであることを確認すると、プリペイドカード４０から読み取った給油可能金額Ｍｄを、表示部１４に供給して表示器１４ａに表示するとともに（ステップＳ101）、入力部１３の油種選択スイッチ１３ａ（１３a-1〜１３a-3）の操作信号又は払込紙幣収納部１２からの紙幣挿入検知信号の入力待ち状態（待機状態）になる（ステップＳ102，Ｓ103）。そして、制御部１８は、払込紙幣収納部１２からの紙幣挿入検知信号の供給を検出すると、制御部１８内に設けられた払込金額カウンタを零リセットし、払込紙幣収納部１２からの入金額データを受付可能な状態になる。
【００６３】
その上で、制御部１８は、挿入紙幣の鑑定が行われて当該紙幣の金額が検出される毎に払込紙幣収納部１２から供給される入金額データを読み込み、これを払込金額カウンタに積算して顧客による払込金額（入金額）Ｍinを演算する。また、制御部１８は、この演算した払込金額データを表示部１４に供給し、表示部１４の表示器１４ａに払込金額Ｍinを表示させる（ステップＳ104）。
【００６４】
この表示部１４の表示器１４ａの表示によって、顧客は、現在の払込金額Ｍinを確認し、所望のリチャージ金額分の紙幣を挿入したならば、図３の操作案内Ｄ１の案内Ｄ12により、入力部１３の発券スイッチ１３ｃを操作する。
【００６５】
このとき、制御部１８は、前述した顧客による払込金額Ｍinの演算を行うとともに、入力部１３から油種選択スイッチ１３ａ又は発券スイッチ１３ｃの操作信号が供給されたか否かの確認も行っている（ステップＳ105，Ｓ106）。そして、制御部１８は、入力部１３から発券スイッチ１３ｃの操作信号が供給されたのを確認すると（ステップＳ106）、カードリーダ／ライタ部１１を制御して、先に顧客によって装填されたプリペイドカード４０に対する払込金額Ｍinに応じたリチャージ処理を行う（ステップＳ120）。
【００６６】
図６は、プリペイドカードリチャージ処理の一実施例を示したフローチャートである。
図６において、制御部１８は、前述した図４のステップＳ106で発券スイッチ１３ｃの操作によるプリペイドカード４０のリチャージの確認がなされると、カードリーダ／ライタ部１１から供給されたカード記憶情報のリチャージ回数データをインクリメントして、リチャージ回数Ｃｒを更新する（ステップＳ121）。そして、制御部１８は、払込金額Ｍinが所定の入金額Ｍ１よりも大きいか否か、リチャージ回数Ｃｒが所定の回数Ｃ１に達し
ているか否かを判定する（ステップＳ122，Ｓ123）。
【００６７】
制御部１８は、払込金額Ｍinが所定の入金額Ｍ１よりも小さく、かつリチャージ回数Ｃｒも所定の回数Ｃ１に達していない場合は、カードリーダ／ライタ部１１から供給されたカード記憶情報の給油可能金額Ｍｄに払込金額Ｍinを加えて新たな給油可能金額（Ｍｄ＝Ｍｄ＋Ｍin）を設定する（ステップＳ124）。その上で、制御部１８は、これら更新されたリチャージ回数Ｃｒ及び給油可能金額Ｍｄをカードリーダ／ライタ部１１に供給し、装填されているプリペイドカード４０のカード記憶情報の中、カード利用情報Ｄpiの給油可能金額データ及びリチャージ回数データを書き換え、更新記憶する（ステップＳ125）。
【００６８】
このようにしてカード記憶情報の給油可能金額Ｍｄ及びリチャージ回数Ｃｒが更新記憶されたプリペイドカード４０は、カードリーダ／ライタ部１１の挿入／排出口１１ａから排出される（ステップＳ129）。顧客は、図３に示した操作案内Ｄ１の案内Ｄ13に基づいて、この排出されたプリペイドカード４０を取得することにより、プリペイドカード４０の給油可能金額Ｍｄのリチャージを受けることができる。
【００６９】
これに対し、制御部１８は、払込金額Ｍinが所定の入金額Ｍ１よりも大きく、かつリチャージ回数Ｃｒも所定の回数Ｃ１に達している場合は、カードリーダ／ライタ部１１から供給されたカード記憶情報のカード代金返却判別データＦを確認する（ステップＳ126）。
【００７０】
制御部１８は、この確認により、カード代金返却判別データＦが“返却済み”になっている場合は、上述したステップＳ124，Ｓ125で説明した処理を行う一方、カード代金返却判別データＦが“未返却”になっている場合は、上述したステップＳ124，Ｓ125に代えて、図５に示したプリペイドカード４０の新規発券処理によって発券時に一時預かり状態になっているカード代金Ｍｃの返却処理を行う。
【００７１】
すなわち、制御部１８は、カードリーダ／ライタ部１１から供給されたカード記憶情報の給油可能金額Ｍｄに払込金額Ｍin及びカード代金Ｍｃを加えて新たな給油可能金額（Ｍｄ＝Ｍｄ＋Ｍin＋Ｍｃ）を設定する（ステップＳ127）。その上で、制御部１８は、これら更新されたリチャージ回数データ及び給油可能金額データをカードリーダ／ライタ部１１に供給し、装填されているプリペイドカード４０の記憶情報の中、給油可能金額データ及びリチャージ回数データを書き換えるとともに、カード代金返却判別データＦを“未返却”から“返却済み”に書き換えて、更新記憶する（ステップＳ128）。
【００７２】
そして、このようにしてカード記憶情報の中、カード利用情報Ｄpiの給油可能金額Ｍｄ、リチャージ回数Ｃｒ、及びカード代金返却判別データＦが更新記憶されたプリペイドカード４０は、カードリーダ／ライタ部１１の挿入／排出口１１ａから排出される（ステップＳ129）。顧客は、図３に示した操作案内Ｄ１の案内Ｄ13に基づいて、この排出された給油可能金額Ｍｄが更新されたカードを取得することにより、プリペイドカード４０の給油可能金額Ｍｄのリチャージを受けるとともに、新規発券時に一時預かり状態になっていたカード代金Ｍｃの返却を自動的に受けることができる。
【００７３】
なお、これらプリペイドカード４０のリチャージに関する、カード識別データＤid、リチャージ日時，リチャージした発券装置の識別，リチャージ額（すなわち、顧客による払込金額）等といったリチャージ情報Ｄri、及び更新された給油可能金額Ｍｄ，カード代金返却判別データＦ，リチャージ回数Ｃｒ等といったカード利用情報Ｄpiは、設定器１０の通信部インタフェース部１７から、通信回線７０を介して管理コンピュータ６０に送信される。そして、プリペイドカードデータベースとしての管理コンピュータ６０は、これら情報をカード識別データＤidのプリペイドカード４０に関する情報としてその記憶装置６５に登録する。
【００７４】
図１１は、プリペイドカードのリチャージ処理により、カード代金の返却を受け、カードリーダ／ライタ部の挿入／排出口から排出されプリペイドカードの一実施例を示す。
【００７５】
図１１では、図１０（Ｂ）で例示したプリペイドカード４０において、図中、時点ｔ４で１０,０００円のリチャージを、また時点ｔ８及びｔ10で５,０００円のリチャージを、また時点ｔ13で１０,０００円のリチャージをそれぞれ行った場合の、プリペイドカード４０の印字領域４１の印字例を示したものである。そして、図６に示したプリペイドカードリチャージ処理のステップＳ122，Ｓ123における所定の入金額Ｍ１が２０,０００円に、所定のリチャージ回数Ｃ１が３回に予め設定されている場合の例を示したものである。
【００７６】
図１１においては、４回目のリチャージを行った時点ｔ13で、それ以前の時点ｔ12の給油可能金額Ｍｄ（１００円）に対して、払込金額Ｍin（１０,０００円）に加えてカード代金Ｍｃ（１００円）が返却のために加算され、給油可能金額Ｍｄが１０,２００円になっていることが示されている。さらに、図１０（Ｂ）で示した「カード代￥１００、一時お預かり中」に代えて、「カード代\100、＊返却済み」の案内４１４が印字されている。
【００７７】
このように、プリペイドカード４０のリチャージ処理における払込金額Ｍin又はリチャージ回数Ｃｒに応じて、新規発券時に一時預かり状態になっているカード代金Ｍｃを自動的に顧客に返却するように構成したことにより、プリペイドカード４０の給油可能金額Ｍｄが減少した場合でも、プリペイドカード４０のリチャージ処理を顧客に促すことができ、プリペイドカード４０による利用金額ひいては利用期間が引き延ばされることになる。さらに、カード代金Ｍｃの返却も、リチャージ処理における払込金額Ｍin又はリチャージ回数Ｃｒに応じて自動的に行われるので、顧客はカード代金Ｍｃの返却を受けるのを忘れてしまうことを防止でき、給油所（燃料供給業者）側も返金業務の省力化及び容易化がはかれる。
【００７８】
＜プリペイドカードを利用した給油作業＞
次に、図３の操作部１９に示された操作案内Ｄ１にしたがって、顧客がプリペイドカード４０を利用してプリペイドカード給油作業を行う場合の設定器１０による制御構成について、図４及び図７に基づいて説明する。
【００７９】
顧客は、プリペイドカード給油作業を行う場合、図３の操作案内Ｄ１の案内Ｄ14により、まず所持するプリペイドカード４０を設定器１０の挿入／排出口１１ａから挿入し、カードリーダ／ライタ部１１にプリペイドカード４０を装填する。
【００８０】
図４において、前述したプリペイドカード４０のリチャージ処理の場合と同様に、設定器１０の制御部１８は、カードリーダ／ライタ部１１からカード挿入検知信号を受けると（ステップＳ100）、カードリーダ／ライタ部１１が読み取ったプリペイドカード４０の磁気記録領域４２に記憶されているカード識別情報Ｄid，カード利用情報Ｄpiの供給を受け、通信インタフェース部１７を用いて管理コンピュータ６０との間で、カード記憶情報の確認を行う。
【００８１】
制御部１８は、このカード記憶情報の確認により、カード記憶情報のデータ改竄等が行われていない適法なカードであることを確認すると、カードリーダ／ライタ部１１から供給されたカード記憶情報の給油可能金額Ｍｄを、表示部１４に供給して表示器１４ａに表示させるとともに（ステップＳ101）、入力部１３の油種選択スイッチ１３ａ（１３a-1〜１３a-3）の操作信号又は払込紙幣収納部１２からの紙幣挿入検知信号の入力待ち状態（待機状態）になる（ステップＳ102，Ｓ103）。
【００８２】
顧客は、プリペイドカード４０をカードリーダ／ライタ部１１に装填した後、前述したプリペイドカード４０のリチャージ処理の場合とは異なり、図３の操作案内Ｄ２，Ｄ３に基づいて、入力部１３の油種選択スイッチ１３ａ（１３a-1〜１３a-3）を操作して給油する油種を指定し、当該指定した油種、及び表示器１４ａに表示されたプリペイドカード４０に記憶されている給油可能金額Ｍｄを確認して、確認スイッチ１３ｂ（１３b-1，１３b-2）を操作する。
【００８３】
これに対し、制御部１８は、入力部１３の油種選択スイッチ13ａ-1〜13ａ-3の中のいずれかの油種選択スイッチ１３ａが操作されると（ステップＳ102）、その操作信号の供給を受け、操作された油種選択スイッチ１３ａに対応させて予め定められている油種を、今回プリペイドカード給油による給油油種として設定する。そして、制御部１８は、入力部１３における確認スイッチ１３b-1，１３b-2の中の一方が操作されると（ステップＳ107）、その操作信号の供給を受け、この供給された操作信号に基づいて、今回プリペイドカード給油の給油作業内容が顧客によって「確認了承」されたか、「確認不承」されたかを判別する（ステップＳ108）。制御部１８は、この判別が「確認了承」である場合は、通信インタフェース部１７を介して、通信回線７０によって接続された対応計量機５０を制御し、プリペイドカード給油処理に移る（ステップＳ140）。ところが、この判別が「確認不承」である場合は、制御部１８は、装填されているプリペイドカード４０の排出をカードリーダ／ライタ部１１に行わせ、今回プリペイドカード給油についての処理を中止する（ステップＳ109）。
【００８４】
図７は、プリペイドカード給油処理の一実施例を示したフローチャートである。
図７において、制御部１８は、前述した図４のステップＳ108で顧客による「確認了承」を判別すると、対応計量機５０の該当給油油種の供給手段（ポンプ）を駆動許可設定し（ステップＳ141）、カードリーダ／ライタ部１１から供給されたカード記憶情報の給油可能金額Ｍｄ、又はこの給油可能金額Ｍｄに対応する給油量を、今回プリペイドカード給油作業における制限値として設定する（ステップＳ142）。そして、制御部１８は、通信インタフェース部１７から通信回線７０を介して対応計量機５０に、該当給油油種の供給手段（ポンプ）に対する駆動許可信号と、給油作業における制限値を送信出力する（ステップＳ143）。制御部１８は、その後、対応計量機５０からの通信回線７０を介しての給油作業開始信号の供給待ち状態になる（ステップＳ144）。
【００８５】
これにより、設定器１０から駆動許可信号が供給された対応計量機５０では、顧客が該当給油油種のノズル５３を計量機本体５１のノズル掛け（ノズル収納場所）から取り外しさえすればその供給手段（ポンプ）が駆動され、実際の給油作業が可能な状態になる。そして、顧客が該当給油油種のノズル５３を計量機本体５１のノズル掛けから取り外すと、駆動許可信号が供給された対応計量機５０では、その供給手段（ポンプ）が駆動して実際の給油作業が開始されるとともに、通信回線７０を介して給油作業開始信号が設定器１０に対して送信される。
【００８６】
また、設定器１０から駆動許可信号とともに供給される制限値は、対応計量機５０において、今回給油作業のプリセット値として設定される。したがって、顧客が該当給油油種のノズル５３を開弁操作して制限値すなわちプリペイドカード４０に記憶されている給油可能金額Ｍｄ以上の給油を行おうとしても、対応計量機５０は、その計測手段（流量計）によって演算された給油量が制限値に応じたプリセット値に達した時点で供給手段が駆動停止され、制限値以上の給油が行えない構成になっている。
【００８７】
その後、顧客は、該当給油油種のノズル５３を開弁操作して実際の給油作業を開始し、制限値の範囲内で所望量（所望金額）の給油を行ったならば、ノズル５３を閉弁操作して計量機本体５１のノズル掛けに戻す。これにより、対応計量機５０では、供給手段が駆動停止され、通信回線７０を介して給油作業終了信号が設定器１０に対して送信される。
【００８８】
設定器１０では、このような計量機５０の制御構成に基づき、対応計量機５０から給油作業開始信号が通信インタフェース部１７に供給されると（ステップＳ144）、制御部１８は対応計量機５０からの通信回線７０を介しての給油作業終了信号の供給待ち状態になる（ステップＳ145）。その後、設定器１０では、対応計量機５０から給油作業終了信号が供給されると（ステップＳ145）、制御部１８は、通信インタフェース部１７から通信回線７０を介して、対応計量機５０に給油禁止信号（駆動禁止信号）を送信した後（ステップＳ146）、当該対応計量機５０からの今回プリセット給油についての給油データの供給待ち状態になる（ステップＳ147）。
【００８９】
これに対し、設定器１０からの給油禁止信号を受信した対応計量機５０では、その後のノズル掛けに対する該当給油油種のノズル５３の取り外し操作にかかわらず、供給手段の駆動を禁止する一方、計測手段（流量計）によって演算された給油量に基づいて今回給油作業における給油データを生成し、通信回線７０を介して設定器１０に対して送信する。
【００９０】
このような計量機５０の制御構成に基づき、設定器１０では、対応計量機５０から給油データが通信インタフェース部１７に供給されると（ステップＳ147）、制御部１８が、カードリーダ／ライタ部１１から供給されたカード記憶情報の全給油金額Ｍalに今回プリセット給油の給油データに基づく給油金額Ｍｐを加えて、全給油金額（Ｍal＝Ｍal＋Ｍｐ）を更新する（ステップＳ148）。また、制御部１８は、カードリーダ／ライタ部１１から供給されたカード記憶情報の給油作業回数Ｃｄをインクリメントして給油作業回数（Ｃｄ＝Ｃｄ＋１）を更新する（ステップＳ149）。また、制御部１８は、カードリーダ／ライタ部１１から供給されたカード記憶情報の給油可能金額Ｍｄから今回プリセット給油の給油データに基づく給油金額Ｍｐを減算して、給油可能金額（Ｍｄ＝Ｍｄ−Ｍｐ）を更新する（ステップＳ150）。
【００９１】
その上で、制御部１８は、全給油金額Ｍalが所定の金額Ｍ２よりも大きいか否か、給油作業回数Ｃｄが所定の回数Ｃ２に達しているか否かを判定する（ステップＳ151，Ｓ152）。制御部１８は、全給油金額Ｍalが所定の金額Ｍ２よりも小さく、かつ給油作業回数Ｃｄも所定の回数Ｃ２に達していない場合は、更新された全給油金額Ｍal，給油作業回数Ｃｄ，給油可能金額Ｍｄをカードリーダ／ライタ部１１に供給し、装填されているプリペイドカード４０のカード記憶情報の中、カード利用情報Ｄpiの全給油金額データ，給油作業回数データ，及び給油可能金額データを書き換え、更新記憶する（ステップＳ153）。
【００９２】
このようにしてカード記憶情報の中、カード利用情報Ｄpiの全給油金額Ｍal，給油作業回数Ｃｄ，及び給油可能金額Ｍｄが更新記憶されたプリペイドカード４０は、カードリーダ／ライタ部１１の挿入／排出口１１ａから排出される（ステップＳ157）。顧客は、図３に示した操作案内Ｄ４に基づいて、この排出されたプリペイドカード４０を取得することにより、今回プリペイドカードにおける給油金額Ｍｐの精算を受けることができる。
【００９３】
また、顧客は、今回プリペイドカード給油のレシート（領収証）が必要な場合は、図３に示した操作案内Ｄ４の案内Ｄ41に基づいて、レシート発行スイッチ１３ｄを操作する。本実施例の場合は、設定器１０の制御部１８は、ステップＳ147に示した対応計量機５０からの給油データの供給後、図７においては図示省略したが、所定時間の間だけ入力部１３からのレシート発行スイッチ１３ｄの操作信号を受付可能になっている。制御部１８は、この間に、レシート発行スイッチ１３ｄに付設されているランプを点滅状態にし、入力部１３からレシート発行スイッチ１３ｄの操作信号が供給されると、今回プリペイドカード給油の給油データに基づいてレシート発行データを生成し、これをレシート発行部１６に供給する。これにより、レシート発行部１６は、今回プリペイドカード給油のレシートを印刷し、操作部１９のレシート排出口１６ａから排出する。
【００９４】
一方、前述のステップＳ151，Ｓ152の判定で、全給油金額Ｍalが所定の金額Ｍ２よりも大きいか、又は給油作業回数Ｃｄが所定の回数Ｃ２に達している場合、制御部１８は、カードリーダ／ライタ部１１から供給されたカード記憶情報のカード代金返却判別データＦを確認する（ステップＳ154）。
【００９５】
制御部１８は、この確認により、カード代金返却判別データＦが“返却済み”になっている場合は、上述したステップＳ153で説明した処理を行う一方、カード代金返却判別データＦが“未返却”になっている場合は、上述したステップＳ153に代えて、図５に示したプリペイドカード４０の新規発券処理によって発券時に一時預かり状態になっているカード代金Ｍｃの返却処理を行う。
【００９６】
このカード代金Ｍｃの返却処理では、制御部１８は、上述したステップＳ150の処理で更新された給油可能金額Ｍｄにカード代金Ｍｃを加えて新たな給油可能金額（Ｍｄ＝Ｍｄ＋Ｍｃ）を設定する（ステップＳ155）。また、制御部１８は、カード代金返却判別データＦを“未返却”から“返却済み”に更新する。その上で、制御部１８は、カード代金Ｍｃが返却されて再更新された給油可能金額Ｍｄ，“返却済み”に更新されたカード代金返却判別データＦを含むカード利用情報Ｄpiをカードリーダ／ライタ部１１に供給し、装填されているプリペイドカード４０の記憶情報の中、カード利用情報Ｄpiの全給油金額データ，給油作業回数データ，給油可能金額データ，及びカード代金返却判別データを書き換え、更新記憶する（ステップＳ156）。
【００９７】
このようにしてカード記憶情報の中、カード利用情報Ｄpiの全給油金額Ｍal，給油作業回数Ｃｄ，給油可能金額Ｍｄ，及びカード代金返却判別データＦが更新記憶されたプリペイドカード４０は、カードリーダ／ライタ部１１の挿入／排出口１１ａから排出される（ステップＳ157）。顧客は、図３に示した操作案内Ｄ４に基づいて、この排出されたプリペイドカード４０を取得することにより、プリペイドカード４０によって今回プリペイドカード給油の給油金額の精算とともに、カード代金Ｍｃの返却を自動的に受けることができる。
【００９８】
なお、これらプリペイドカード給油処理に関する更新された全給油金額Ｍal，給油作業回数Ｃｄ，給油可能金額Ｍｄ，及びカード代金返却判別データＦといったカード利用情報Ｄpiは、カード識別データＤidとともに、設定器１０の通信部インタフェース部１７から、通信回線７０を介して管理コンピュータ６０に送信される。そして、プリペイドカードデータベースとしての管理コンピュータ６０では、これら情報をカード識別データＤidのプリペイドカード４０に関する情報として記憶装置６５に登録する。
【００９９】
図１２は、プリペイドカード給油処理により、カード代金の返却を受け、カードリーダ／ライタ部の挿入／排出口から排出されるプリペイドカードの一実施例を示す。
【０１００】
図１２では、払込金額が２４，９００円で発券されたプリペイドカード４０に対して、時点ｔ１，ｔ２，ｔ３で８,０００円分の給油をそれぞれ行い、時点ｔ４で１０,０００円のリチャージを行った後、時点ｔ５で８,０００円分の給油を行った場合の、プリペイドカード４０の印字領域４１の印字例を示したものである。そして、図７に示したプリペイドカード給油処理のステップＳ151，Ｓ152における所定の金額Ｍ２が３０,０００円に、所定の回数Ｃ２が５回に、それぞれ予め設定されている場合の例を示したものである。
【０１０１】
図１２においては、４回目の給油作業を行った時点ｔ５で、時点ｔ１，ｔ２，ｔ３及び時点ｔ５の給油金額の総計である全給油金額Ｍalが３,２０００円になり、所定の金額Ｍ２（３０,０００円）を超え、本来の更新された給油可能金額Ｍｄ（２,９００円）に加えてカード代金Ｍｃ（１００円）が返却により加算され、給油可能金額Ｍｄが３,０００円
になっていることが示されている。
【０１０２】
このようなプリペイドカード給油処理において、全給油金額Ｍal又は給油作業回数Ｃｄに応じて、新規発券時に一時預かり状態になっていたカード代金Ｍｃを自動的に給油可能金額Ｍｄに加算して顧客に返却するように構成したことにより、プリペイドカード４０の給油可能金額Ｍｄが減少した場合でも、プリペイドカード４０のリチャージ処理を顧客に促すことができ、プリペイドカード４０による利用金額ひいては利用期間が引き延ばされることになる。さらに、カード代金Ｍｃの返却も、給油作業における給油金額の精算時に自動的に行われるので、顧客はカード代金Ｍｃの返却を受けるのを忘れてしまうことを防止でき、給油所（燃料供給業者）側も返金業務の省力化及び容易化がはかれる。
【０１０３】
＜プリペイドカードに現金を追加して行う給油作業＞
次に、図３の操作部１９に示された操作案内Ｄ１にしたがって、所持するプリペイドカード４０の給油可能金額Ｍｄに顧客が現金を追加して行う現金追加プリペイドカード給油作業における設定器１０による制御構成について、図４及び図８に基づき説明する。
【０１０４】
顧客は、図３の操作案内Ｄ１の案内Ｄ14により、まず所持するプリペイドカード４０を設定器１０の挿入／排出口１１ａから挿入し、カードリーダ／ライタ部１１にプリペイドカード４０を装填する。
【０１０５】
図４において、前述したプリペイドカード４０を利用したプリペイドカード給油処理の場合と同様に、設定器１０の制御部１８は、カードリーダ／ライタ部１１からカード挿入検知信号を受けると（ステップＳ100）、カードリーダ／ライタ部１１が読み取ったプリペイドカード４０の磁気記録領域４２に記憶されているカード識別情報Ｄid，カード利用情報Ｄpiの供給を受け、通信インタフェース部１７を用いて管理コンピュータ６０との間で、カード記憶情報の確認を行う。そして、制御部１８は、このカード記憶情報の確認により、カード記憶情報のデータ改竄等が行われていない適法なカードであることを判別すると、プリペイドカード４０から読み取った給油可能金額Ｍｄを、表示部１４によって表示器１４ａに表示するとともに（ステップＳ101）、入力部１３の油種選択スイッチ１３ａ（１３a-1〜１３a-3）の操作信号又は払込紙幣収納部１２からの紙幣挿入検知信号の入力待ち状態（待機状態）になる（ステップＳ102，Ｓ103）。
【０１０６】
顧客は、表示器１４ａに表示されている給油可能金額Ｍｄが今回給油作業の給油金額の精算に不足すると判断した場合は、図３の操作案内Ｄ１の案内Ｄ15により、払込紙幣収納部１２の紙幣挿入部１２ａに、給油可能金額Ｍｄに対する所望の追加金額に対応する紙幣を挿入する。制御部１８は、挿入紙幣の鑑定が行われて当該紙幣の金額が検出される毎に払込紙幣収納部１２から供給される入金額データを読み込み、これを払込金額カウンタに積算して顧客による追加金額（入金額）Ｍinを演算する。また、制御部１８は、この演算した追加金額データを表示部１４に供給し、表示部１４の表示器１４ａに追加金額Ｍinを表示させる（ステップＳ104）。
【０１０７】
この表示部１４の表示器１４ａの表示によって、顧客は現在の追加金額Ｍinを確認できるようになっており、所望の追加金額分の紙幣を挿入したならば、図３の操作案内Ｄ２，Ｄ３により、前述したプリペイドカード給油処理の場合と同様に、入力部１３の油種選択スイッチ１３ａ（１３a-1〜１３a-3）を操作して給油する油種を指定し、当該指定した油種、表示器１４ａに表示された給油可能金額を確認し、確認スイッチ１３ｂ（１３b-1，
１３b-2）を操作する。
【０１０８】
この際、制御部１８は、入力部１３の油種選択スイッチ13ａ-1〜13ａ-3の中のいずれかが操作されると（ステップＳ102）、その操作信号の供給を受け、操作された油種選択スイッチ１３ａに対応させて予め定められている油種を、給油油種として設定する。さらに、制御部１８は、カードリーダ／ライタ部１１から供給されたカード記憶情報の給油可能金額Ｍｄに追加金額Ｍinを加えて新たな給油可能金額（Ｍｄ＝Ｍｄ＋Ｍin）を演算する（ステップＳ110）。そして、制御部１８は、この演算された新たな給油可能金額データを表示部１４に供給し、表示部１４の表示器１４ａに新たな給油可能金額Ｍｄを表示させる（ステップＳ111）。
【０１０９】
そして、制御部１８は、入力部１３の確認スイッチ１３b-1，１３b-2の中の一方が操作されると（ステップＳ112）、その操作信号の供給を受け、この供給された操作信号に基づいて、給油作業内容が顧客によって「確認了承」されたか、「確認不承」されたかを判別する（ステップＳ113）。制御部１８は、この判別が「確認了承」である場合は、通信インタフェース部１７を介して、通信回線７０によって接続された対応計量機５０を制御して給油を行わせる現金追加プリペイドカード給油処理に移る（ステップＳ160）。ところが、この判別が「確認不承」である場合は、制御部１８は、装填されているプリペイドカード４０の排出をカードリーダ／ライタ部１１に行わせ、追加給油金額として払い込まれた紙幣の返却を払込紙幣収納部１２に行わせ、現金追加プリペイドカード給油処理を中止する（ステップＳ114）。
【０１１０】
図８は、現金追加プリペイドカード給油処理の一実施例を示したフローチャートである。
なお、図８において、ステップＳ161〜Ｓ167に示す処理は、前述したプリペイドカード給油処理において図７のステップＳ141〜Ｓ147に示した処理と同様なので、その説明は省略する。
【０１１１】
そして、顧客のノズル５３による実際の給油作業が終了し、対応計量機５０から給油データが通信インタフェース部１７に供給されると（ステップＳ167）、設定器１０の制御部１８は、図８においてステップＳ168以下に示す処理を行う。
【０１１２】
制御部１８は、前述したプリペイドカード給油処理における図７のステップＳ148に示した処理と同様にして、カードリーダ／ライタ部１１から供給されたカード記憶情報の全給油金額（Ｍal＝Ｍal＋Ｍｐ）を更新する（ステップＳ168）。また、制御部１８は、同じく図７のステップＳ149に示した処理と同様にして、カードリーダ／ライタ部１１から供給されたカード記憶情報の給油作業回数（Ｃｄ＝Ｃｄ＋１）を更新する（ステップＳ169）。また、制御部１８は、カードリーダ／ライタ部１１から供給されたカード記憶情報のカード利用情報Ｄpiにおけるリチャージ回数データをインクリメントして、リチャージ回数Ｃｒを更新する（ステップＳ170）。また、制御部１８は、同じく図７のステップＳ150に示した処理と同様にして、前述の図４におけるステップＳ110で演算した給油可能金額Ｍｄから、今回給油作業の給油データによる給油金額Ｍｐを減算して、給油可能金額（Ｍｄ＝Ｍｄ−Ｍｐ）を更新する（ステップＳ171）。
【０１１３】
その上で、制御部１８は、全給油金額Ｍalが所定の金額Ｍ２よりも大きいか否か、給油作業回数Ｃｄが所定の回数Ｃ２に達しているか否か、リチャージ回数Ｃｒが所定の回数Ｃ１に達しているか否か、追加金額（払込金額）Ｍinが所定の入金額Ｍ１よりも大きいか否か、をそれぞれ判定する（ステップＳ172〜Ｓ175）。
【０１１４】
制御部１８は、全給油金額Ｍalが所定の金額Ｍ２よりも小さく、給油作業回数Ｃｄが所定の回数Ｃ２に達しておらず、リチャージ回数Ｃｒも所定の回数Ｃ１に達しておらず、追加金額（払込金額）Ｍinが所定の入金額Ｍ１よりも小さい場合は、同じく図７のステップＳ153に示した処理と同様にして、更新された全給油金額Ｍal，給油作業回数Ｃｄ，リチャージ回数Ｃｒ，給油可能金額Ｍｄをカードリーダ／ライタ部１１に供給し、装填されているプリペイドカード４０のカード記憶情報の中、カード利用情報Ｄpiの全給油金額データ，給油作業回数データ，リチャージ回数データ，及び給油可能金額データを書き換え、更新記憶する（ステップＳ176）。
【０１１５】
このようにしてカード記憶情報の中、カード利用情報Ｄpiの全給油金額Ｍal，給油作業回数Ｃｄ，リチャージ回数Ｃｒ，及び給油可能金額Ｍｄが更新記憶されたプリペイドカード４０は、カードリーダ／ライタ部１１の挿入／排出口１１ａから排出される（ステップＳ180）。顧客は、図３に示した操作案内Ｄ４に基づいて、この排出されたプリペイドカード４０を取得することにより、今回給油作業としての現金追加プリペイドカード給油における給油金額の精算を受けたことになる。この結果、追加金額Ｍin分で残った給油可能金額（Ｍｄ＝Ｍｄ−Ｍｐ）は、自動的にプリペイドカード４０にリチャージされることになる。
【０１１６】
一方、前述のステップＳ172〜Ｓ175の判定で、全給油金額Ｍalが所定の金額Ｍ２よりも大きいか、給油作業回数Ｃｄが所定の回数Ｃ２に達しているか、リチャージ回数Ｃｒが所定の回数Ｃ１に達しているか、又は追加金額（払込金額）Ｍinが所定の入金額Ｍ１よりも大きいかのいずれかに該当する場合は、制御部１８は、カードリーダ／ライタ部１１から供給されたカード記憶情報のカード代金返却判別データＦを確認する（ステップＳ177）。
【０１１７】
制御部１８は、この確認により、カード代金返却判別データＦが“返却済み”になっている場合は、上述したステップＳ176で説明した処理を行う一方、カード代金返却判別データＦが“未返却”になっている場合は、上述したステップＳ176に代えて、図５に示したプリペイドカード４０の新規発券処理によって発券時に一時預かり状態になっているカード代金Ｍｃの返却処理を行う。
【０１１８】
このカード代金Ｍｃの返却処理では、制御部１８は、同じく図７のステップＳ155に示した処理と同様にして、上述したステップＳ171の処理で更新された給油可能金額Ｍｄにカード代金Ｍｃを加えて新たな給油可能金額（Ｍｄ＝Ｍｄ＋Ｍｃ）を設定する（ステップＳ178）。また、制御部１８は、カードリーダ／ライタ部１１から供給されたカード記憶情報のカード代金返却判別データＦを“未返却”から“返却済み”に更新する。
【０１１９】
その上で、制御部１８は、同じく図７のステップＳ156に示した処理と同様にして、カード代金Ｍｃが返却されて再更新された給油可能金額Ｍｄ，“返却済み”に更新されたカード代金返却判別データＦ，更新された全給油金額Ｍal，給油作業回数Ｃｄ，リチャージ回数Ｃｒをカードリーダ／ライタ部１１に供給し、装填されているプリペイドカード４０の記憶情報の中、カード利用情報Ｄpiの全給油金額データ，給油作業回数データ，リチャージ回数データ，給油可能金額データ，及びカード代金返却判別データＦを書き換え、更新記憶する（ステップＳ179）。
【０１２０】
このようにしてカード記憶情報の中、カード利用情報Ｄpiの全給油金額Ｍal，給油作業回数Ｃｄ，リチャージ回数データ，給油可能金額Ｍｄ，及びカード代金返却判別データＦが更新記憶されたプリペイドカード４０は、カードリーダ／ライタ部１１の挿入／排出口１１ａから排出される（ステップＳ180）。顧客は、図３に示した操作案内Ｄ４に基づいて、この排出されたプリペイドカード４０を取得することにより、プリペイドカード４０によって今回現金追加プリペイドカード給油における給油金額の精算とともに、カード代金Ｍｃの返却を自動的に受けることができる。
【０１２１】
このような現金追加プリペイドカード給油処理においても、全給油金額Ｍal又は給油作業回数Ｃｄに応じて、新規発券時に一時預かり状態になっていたカード代金Ｍｃを自動的に給油可能金額Ｍｄに加算して顧客に返却するように構成したことにより、プリペイドカード４０の給油可能金額Ｍｄが減少した場合でも、プリペイドカード４０を用いた現金追加プリペイドカード給油を顧客に促すことができ、プリペイドカード４０による利用金額ひいては利用期間が引き延ばされることになる。さらに、カード代金Ｍｃの返却も、給油作業における給油金額の精算時に自動的に行われるので、顧客はカード代金Ｍｃの返却を受けるのを忘れてしまうことを防止でき、給油所（燃料供給業者）側も返金業務の省力化及び容易化がはかれる。
【０１２２】
＜現金給油作業＞
次に、図３の操作部１９に示された操作案内Ｄ１にしたがって、プリペイドカード４０によらず、給油作業の都度、顧客が現金を払い込んで行う現金給油作業における設定器１０による制御構成について、図４及び図９に基づき説明する。
【０１２３】
顧客は、図３の操作案内Ｄ１の案内Ｄ11により、払込紙幣収納部１２の紙幣挿入部１２ａに、所望の給油金額に対応する額の紙幣を挿入する。
【０１２４】
このとき、制御部１８は、図４に示すように、払込紙幣収納部１２からの紙幣挿入検知信号又はカードリーダ／ライタ部１１からの後述するカード挿入検知信号の入力待ち状態（待機状態）になっている（図４、ステップＳ100，Ｓ200）。そして、制御部１８は、上述した払込紙幣収納部１２からの紙幣挿入検知信号の供給を検出すると、制御部１８内に設けられた払込金額カウンタを零リセットし、払込紙幣収納部１２からの入金額データを受付可能な状態になる。
【０１２５】
その上で、制御部１８は、挿入紙幣の鑑定が行われて当該紙幣の金額が検出される毎に払込紙幣収納部１２から供給される入金額データを読み込み、これを払込金額カウンタに積算して顧客による払込金額Ｍinを演算する。また、制御部１８は、この演算した払込金額データを表示部１４に供給し、表示部１４の表示器１４ａに払込金額（入金額）Ｍinを表示させる（ステップＳ201）。
【０１２６】
この表示部１４の表示器１４ａの表示によって、顧客は現在の払込金額Ｍinを確認できるようになっており、所望の払込金額分の紙幣を挿入したならば、図３の操作案内Ｄ２，Ｄ３により、入力部１３の油種選択スイッチ１３ａ（１３a-1〜１３a-3）を操作して給油する油種を指定し、当該指定した油種、表示器１４ａに表示された払込金額Ｍinを確認し、確認スイッチ１３ｂ（１３b-1，１３b-2）を操作する。
【０１２７】
この際、制御部１８は、入力部１３の油種選択スイッチ13ａ-1〜13ａ-3の中のいずれかが操作されると（ステップＳ203）、その操作信号の供給を受け、操作された油種選択スイッチ１３ａに対応させて予め定められている油種を、給油油種として設定するとともに、払込金額Ｍinを今回現金給油作業の給油可能金額Ｍｄとして設定する。
【０１２８】
そして、制御部１８は、入力部１３の確認スイッチ１３b-1，１３b-2の中の一方が操作されると（ステップＳ204）、その操作信号の供給を受け、この供給された操作信号に基づいて、給油作業内容が顧客によって「確認了承」されたか、「確認不承」されたかを判別する（ステップＳ205）。制御部１８は、この判別が「確認了承」である場合は、通信インタフェース部１７を介して、通信回線７０によって接続された対応計量機５０を制御して給油を行わせる現金給油処理に移る（ステップＳ220）。ところが、この判別が「確認不承」である場合は、制御部１８は、払い込まれた紙幣の返却を払込紙幣収納部１２に行わせ、現金給油処理を終了する（ステップＳ206）。
【０１２９】
図９は、現金給油処理の一実施例を示したフローチャートである。
なお、図９において、ステップＳ221〜Ｓ227に示す処理は、前述したプリペイドカード給油処理において図７のステップＳ141〜Ｓ147に示した処理と同様なので、その説明は省略する。
【０１３０】
そして、顧客のノズル５３による実際の給油作業が終了し、対応計量機５０から給油データが通信インタフェース部１７に供給されると（ステップＳ227）、設定器１０の制御部１８は、図８においてステップＳ228以下に示す処理を行う。
【０１３１】
制御部１８は、前述したプリペイドカード給油処理における図７のステップＳ150に示した処理と同様にして、前述の図４におけるステップＳ200で払い込まれた払込金額Ｍin、すなわち給油可能金額Ｍｄから、今回給油作業の給油データによる給油金額Ｍｐを減算して、給油可能金額（Ｍｄ＝Ｍｄ−Ｍｐ）を更新する（ステップＳ228）。
【０１３２】
その上で、制御部１８は、この更新された給油可能金額Ｍｄが０円よりも大きく、顧客に対しての釣銭支払の必要があるか否かを判定する（ステップＳ229）。この判定結果により、給油金額Ｍｐが払込金額Ｍinに等しく、釣銭支払の必要がない場合には、制御部１８は、今回の現金給油作業を終了する。ところが、上述した判定において、払込金額Ｍinが給油金額Ｍｐよりも多く、釣銭支払の必要がある場合は、制御部１８は、この更新された給油可能金額Ｍｄを釣銭額とする釣銭伝票の発行をレシート発行部１６に指示し、レシート発行部１６はレシート排出口１６ａから所定フォーマットの釣銭伝票を排出する。
【０１３３】
したがって、現金給油作業を行った顧客は、釣銭がある場合は、操作部１９のレシート排出口１６ａからこの排出された釣銭伝票を取得し、事務所３で給油管理者により換金してもらうことになる。
【０１３４】
以上説明したように、本発明の燃料供給システムの一実施の形態としてのセルフサービス給油システム１は構成されるが、本実施の形態のセルフサービス給油システム１は種々の変形例が可能である。
【０１３５】
例えば、本実施の形態のセルフサービス給油システム１では、全給油金額Ｍalが所定の金額Ｍ２よりも大きいか、給油作業回数Ｃｄが所定の回数Ｃ２に達しているか、リチャージ回数Ｃｒが所定の回数Ｃ１に達しているか、又は追加金額（払込金額）Ｍinが所定の入金額Ｍ１よりも大きいかのいずれかに該当する場合は、新規発券時に一時預かり状態になっていたカード代金Ｍｃを自動的にプリペイドカード４０に記憶された給油可能金額Ｍｄに加算して顧客に返却するように構成したが、カード代金Ｍｃの返却条件のパラメータは、上述した全給油金額Ｍal，給油作業回数Ｃｄ，リチャージ回数Ｃｒ，追加金額（払込金額）Ｍinに限るものではなく、当該プリペイドカード４０を利用した積算給油量，リチャージ金額の総計等といったプリペイドカード４０の利用に応じて変化する値であればよい。
【０１３６】
また、本実施の形態のセルフサービス給油システム１では、プリペイドカード４０の磁気記録領域４２に、カード識別情報Ｄid，カード利用情報Ｄpiの全てを記憶させる構成としたが、プリペイドカード４０の磁気記録領域４２には、必要最低限の情報として例えばカード識別情報Ｄid及びカード利用情報Ｄpiの中の給油可能金額Ｍｄのみを記憶し、全給油金額Ｍal，給油作業回数Ｃｄ等のカード利用情報Ｄpiについては、プリペイドカード４０の磁気記録領域４２の読み取りの都度、カード識別情報Ｄidをインデックスに、別途設けられたプリペイドカードデータベースから取得する構成であってもよい。また、プリペイドカード４０自体の構成も磁気記録領域４２を備えた磁気カードに限るものではなく、データの書き込み及び読み出しが自在な記録領域を有するものであればよい。
【０１３７】
また、本実施の形態のセルフサービス給油システム１では、各計量機５０-1〜５０-nそれぞれに対応させて設定器１０を設ける構成としたが、設定器１０に計量機５０の選択機能を備えることにより、１台の設定器１０で複数台の計量機５０それぞれのプリペイドカード４０を利用した給油の管理を行うことも可能である。
【０１３８】
さらに、本発明の燃料供給システムについての実施の形態も、ガソリン，軽油等を給油する給油所に適用した場合を例に説明したが、プリペイドカードを利用する燃料供給所であれば、天然ガス、水素等を充填する充填所に用いてもよい。
【０１３９】
この場合、燃料供給装置としての計量機５０も、燃料供給所の取り扱い燃料の種類が変われば、その構成も変わる。例えば、天然ガスの充填所において圧縮した圧縮天然ガス（ＣＮＧ）を車両等の燃料タンク（被充填タンク）に供給するＣＮＧ供給装置は、圧縮機により所定圧以上（例えば２５ＭＰａ）に昇圧された天然ガスをガス供給タンクに一旦貯めておき、充填ホースの先端に設けられた充填カプラを被充填タンクのカプラに結合した後、ガス供給タンクに貯められた天然ガスが被充填タンクに供給され、被充填タンク内が所定圧（例えば２０ＭＰａ）に達するまで充填する構成になっている。したがって、燃料供給所の取り扱い燃料の種類が変われば燃料供給装置の構成も変わるので、設定器１０と燃料供給装置（計量機５０）との間で通信される信号及びデータの種類や通信タイミングも、上述した実施の形態のシステムにおける信号及びデータの種類や通信タイミングに限られるものではなく、燃料供給所及び燃料供給装置の構成に応じて適宜変更されることも言うまでもない。
【０１４０】
また、本発明の燃料供給システムについての実施の形態においては、プリペイド情報が予め記憶された記憶媒体としてプリペイドカードを用いた例を挙げて説明しているが、本発明に利用される記憶媒体はプリペイドカードに限るものではなく、例えば、フラッシュメモリを用いたスティック形状の記憶媒体や非接触で記憶情報の読み書きを行えるＩＣを用いた記憶媒体等を用いても良い。また、本実施の形態における記憶媒体は携帯可能なプリペイドカードを例に挙げて説明しているが、記憶媒体自体は携帯可能な記憶媒体の他、燃料の供給対象である自動車等の燃料消費体又は灯油タンクのような給液容器に固定的に取り付けられる記憶媒体を用い、無線により記憶媒体の記憶内容を読み書きするようにしても良いのはもちろんである。
【図面の簡単な説明】
【０１４１】
【図１】本発明の燃料供給システムの一実施の形態としてのセルフサービス給油システムの構成図である。
【図２】図１に示した設定器の概略構成を示すブロック図である。
【図３】図１に示した設定器の操作部の外観図である。
【図４】図１に示した設定器による制御構成の一実施例の概要を示したフローチャートである。
【図５】図４におけるプリペイドカード新規発券処理の一実施例を示したフローチャートである。
【図６】図４におけるプリペイドカードリチャージ処理の一実施例を示したフローチャートである。
【図７】図４におけるプリペイドカード給油処理の一実施例を示したフローチャートである。
【図８】図４における現金追加プリペイドカード給油処理の一実施例を示したフローチャートである。
【図９】図４における現金給油処理の一実施例を示したフローチャートである。
【図１０】本実施の形態のセルフサービス給油システムで使用されるリチャージ可能なプリペイドカードの一実施例の構成図である。
【図１１】プリペイドカードのリチャージ処理により、カード代金の返却を受け、カードリーダ／ライタ部の挿入／排出口から排出されプリペイドカードの一実施例を示す。
【図１２】プリペイドカード給油処理により、カード代金の返却を受け、カードリーダ／ライタ部の挿入／排出口から排出されるプリペイドカードの一実施例を示す。
【符号の説明】
【０１４２】
１  セルフサービス給油システム
２  給油エリア
３  事務所
１０  設定器
１１  カードリーダ／ライタ部
１２  払込紙幣収納部
１３  入力部
１４  表示部
１５  新規発券用カードストック部
１６  レシート発行部
１７  通信インタフェース部
１８  制御部
１９  操作部
４０  プリペイドカード
４１  印字領域
４２  磁気記録領域
５０  計量機
５１  計量機本体
５２  ホース
５３  ノズル
５４  表示装置
６０  管理コンピュータ
６１  コンピュータ本体
６２  キーボード
６３  プリンタ
６４  モニタ
６５  記憶装置
７０  通信
【図１】
2005231737.tif 000003
【図２】
2005231737.tif 000004
【図３】
2005231737.tif 000005
【図４】
2005231737.tif 000006
【図５】
2005231737.tif 000007
【図６】
2005231737.tif 000008
【図７】
2005231737.tif 000009
【図８】
2005231737.tif 000010
【図９】
2005231737.tif 000011
【図１０】
2005231737.tif 000012
【図１１】
2005231737.tif 000013
【図１２】
2005231737.tif 000014